(57)【要約】  【課題】  実際にシートや記録材に生じるカールの程度に応じて、適切なカール補正条件を設定できるようにする。  【解決手段】  第一のカール補正部６２は、用紙を湾曲させて用紙に生じたアッパーカールを補正するアッパーカール補正部７０、用紙をアッパーカール補正部７０とは逆側に湾曲させて用紙に生じたダウンカールを補正するダウンカール補正部８０を備える。また、アッパーカール補正部７０およびダウンカール補正部８０におけるカールの補正力は、それぞれ三段階で調整することができる。そして、第一のカール補正部６２で６種類のカール補正条件を順次設定しながら用紙のカール補正を行うことによって各カール補正条件のカール補正サンプルを出力し、最も良好なカール補正サンプルを作成した際のカール補正条件を、第一のカール補正部６２におけるカール補正条件として設定する。  【選択図】  図３
2006290506.tif 000002
【特許請求の範囲】
【請求項１】
記録材にトナー像を形成する画像形成部と、
前記画像形成部によって前記記録材に形成された前記トナー像を定着する定着部と、
前記定着部を通過した前記記録材に生じたカールを、当該記録材に対し押圧力を付加することで補正するカール補正部と、
前記カール補正部における押圧力を順次変化させることにより、当該カール補正部にて異なる押圧力が付加された複数の記録材を順次出力させる制御部と
を含む画像形成装置。
【請求項２】
前記制御部は、前記複数の記録材を出力させる際に、前記画像形成部にて前記記録材にトナー像を形成させ、前記定着部にて当該記録材に形成されたトナー像を定着させることを特徴とする請求項１記載の画像形成装置。
【請求項３】
前記制御部は、前記複数の記録材を出力させる際に、異なる押圧力毎に設定された所定形状のトナー像を、前記画像形成部によって前記記録材に形成させることを特徴とする請求項１記載の画像形成装置。
【請求項４】
ユーザからの入力を受け付ける入力受付部をさらに含み、
前記制御部は、前記入力受付部を介して所定の指示の入力を受け付けた場合に、前記複数の記録材を出力させることを特徴とする請求項１記載の画像形成装置。
【請求項５】
出力された複数の記録材のうち、一の記録材の選択を受け付ける選択受付部をさらに含み、
前記制御部は、前記カール補正部に、前記選択受付部にて受け付けられた前記一の記録材を出力した際の押圧力を設定することを特徴とする請求項１記載の画像形成装置。
【請求項６】
前記制御部は、前記記録材の情報および/または前記画像形成部にて形成されるトナー像の情報に基づいて前記カール補正部における押圧力が自動設定される第一のカール補正モード、および、当該カール補正部における押圧力が手動設定される第二のカール補正モードで、当該カール補正部を制御することを特徴とする請求項１記載の画像形成装置。
【請求項７】
シートに生じたカールを、無段階または複数段階のカール補正条件より選択された所定のカール補正条件で補正するカール補正手段と、
カール補正サンプルの出力指示の入力を受け付ける受付手段と、
前記受付手段にて前記カール補正サンプルの出力指示が受け付けられた場合に、前記カール補正手段におけるカール補正条件を複数設定し、異なるカール補正条件でカール補正された複数のシートをカール補正サンプルとして順次出力させる制御手段と
を含むカール補正装置。
【請求項８】
前記カール補正手段は、シートの端部が上側を向くアッパーカールおよびシートの端部が下側を向くダウンカールを補正することを特徴とする請求項７記載のカール補正装置。
【請求項９】
前記カール補正手段は、シートに生じたカールとは逆側に湾曲させる力を付加することで当該シートのカールを補正し、
前記制御手段は、前記カール補正手段において前記シートに付加される前記湾曲させる力を可変することで、カール補正条件を複数設定することを特徴とする請求項７記載のカール補正装置。
【請求項１０】
前記受付手段は、前記カール補正手段によって出力された複数のカール補正サンプルのうち、一のカール補正サンプルの選択をさらに受け付け、
前記制御手段は、前記カール補正手段に、前記受付手段にて受け付けられた前記一のカール補正サンプルを出力した際のカール補正条件を設定することを特徴とする請求項７記載のカール補正装置。
【発明の詳細な説明】
【技術分野】
【０００１】
本発明は、記録材やシートに生じたカールを補正するカール補正部を備えた画像形成装置およびカール補正装置に関する。
【背景技術】
【０００２】
複写機、プリンタ、ファクシミリ等の画像形成装置では、感光体ドラム等に形成したトナー像を直接あるいは間接的に用紙上に転写し、用紙上に転写されたトナーを加熱・加圧することにより溶融させて定着させ、その後排出トレイ等に排出している。この種の画像形成装置では、このようにして排出される定着後の用紙が、表面側又は裏面側に反るように湾曲変形する現象、いわゆるカールが発生することがある。そこで、用紙に生じるカールが原因となって発生する紙詰まり、排出トレイでのかさばり、両面画像形成時の画質低下等の不具合を回避する目的で、用紙に生じたカールを補正するためのカール補正装置が設けられる。
【０００３】
従来この種のカール補正装置としては、用紙搬送路に沿って設けられた二本のロールに張架された無端ベルトと、この無端ベルトに対して所定の圧力で押し付けられた押圧ロールとを備えたものが知られている(特許文献１,２参照。)。この技術では、カールした用紙を無端ベルトと押圧ロールとの間に挟み、押圧ロールによりカールした用紙をカールとは逆側に曲げるようにしごくことで、カールの補正を行っている。
【０００４】
【特許文献１】特開平４−３３８０６０号公報(第５頁、図９、図１０)
【特許文献２】特開平６−１５６８５２号公報(第６頁、図４、図５)
【発明の開示】
【発明が解決しようとする課題】
【０００５】
ところで、用紙に生じるカールには、用紙の端部が下を向くカールをダウンカール、用紙の端部が上を向くカールをアッパーカールがある。そして、用紙にどのようなカール(ダウンカール、アッパーカール)が生じ、また、用紙に生じるカール量がどの程度であるのかは、用紙の種類、環境、および用紙上に形成される画像の濃度等によっても異なる。
そこで、上記特許文献１,２では、上述したカール補正装置を用紙搬送路に対して直列または並列に二つ配置し、それぞれダウンカール補正部およびアッパーカール補正部として用いることが記載されている。さらに、上記特許文献１には、用紙の種類または用紙に形成される画像の濃度の情報等に基づいて無端ベルトに対する押圧ロールの押圧力を変化させることにより、カールの補正量を調整することも記載されている。
【０００６】
しかしながら、最近では、画像形成装置で使用することが可能な用紙の種類が非常に多くなってきており、また、用紙上に形成される画像もカラーやモノクロ、テキストや写真など多種多様である。したがって、これらすべての条件に合わせてカール補正装置のパラメータを決定することは非常に困難であるといえる。このため、例えば上記特許文献１のように、用紙の種類や画像の濃度に基づいてカールの補正量を調整したとしても、カール補正が不十分となって上述した問題を解決できないことがあった。
【０００７】
本発明は、かかる技術的課題を解決するためになされたものであって、その目的とするところは、実際に記録材やシートに生じるカールの程度に応じて、適切なカール補正条件を設定できるようにすることにある。
【課題を解決するための手段】
【０００８】
かかる目的のもと、本発明が適用される画像形成装置は、記録材にトナー像を形成する画像形成部と、画像形成部によって記録材に形成されたトナー像を定着する定着部と、定着部を通過した記録材に生じたカールを、記録材に対し押圧力を付加することで補正するカール補正部と、カール補正部における押圧力を順次変化させることにより、カール補正部にて異なる押圧力が付加された複数の記録材を順次出力させる制御部とを含んでいる。
【０００９】
ここで、制御部は、複数の記録材を出力させる際に、画像形成部にて記録材にトナー像を形成させ、定着部にて記録材に形成されたトナー像を定着させることを特徴とすることができる。また、制御部は、複数の記録材を出力させる際に、異なる押圧力毎に設定された所定形状のトナー像を、画像形成部によって記録材に形成させることを特徴とすることができる。また、ユーザからの入力を受け付ける入力受付部をさらに含む場合に、制御部は、入力受付部を介して所定の指示の入力を受け付けた場合に、複数の記録材を出力させることを特徴とすることができる。そして、出力された複数の記録材のうち、一の記録材の選択を受け付ける選択受付部をさらに含む場合に、制御部は、カール補正部に、選択受付部にて受け付けられた一の記録材を出力した際の押圧力を設定することを特徴とすることができる。また、制御部は、記録材の情報および/または画像形成部にて形成されるトナー像の情報に基づいてカール補正部における押圧力が自動設定される第一のカール補正モード、および、カール補正部における押圧力が手動設定される第二のカール補正モードで、カール補正部を制御することを特徴とすることができる。
【００１０】
また、他の観点から捉えると、本発明が適用されるカール補正装置は、シートに生じたカールを、カール補正手段において無段階または複数段階のカール補正条件より選択された所定のカール補正条件で補正し、受付手段でカール補正サンプルの出力指示の入力を受け付け、受付手段にてカール補正サンプルの出力指示が受け付けられた場合に、制御手段が、カール補正手段におけるカール補正条件を複数設定し、異なるカール補正条件でカール補正された複数のシートをカール補正サンプルとして順次出力させる。
【００１１】
ここで、カール補正手段は、シートの端部が上側を向くアッパーカールおよびシートの端部が下側を向くダウンカールを補正することを特徴とすることができる。また、カール補正手段は、シートに生じたカールとは逆側に湾曲させる力を付加することでシートのカールを補正し、制御手段は、カール補正手段においてシートに付加される湾曲させる力を可変することで、カール補正条件を複数設定することを特徴とすることができる。また、受付手段は、カール補正手段によって出力された複数のカール補正サンプルのうち、一のカール補正サンプルの選択をさらに受け付け、制御手段は、カール補正手段に、受付手段にて受け付けられた一のカール補正サンプルを出力した際のカール補正条件を設定することを特徴とすることができる。
【発明の効果】
【００１２】
本発明によれば、付加される押圧力を異ならせた複数の記録材を出力させるようにしたので、実際に記録材やシートに生じるカールの程度に応じて、適切なカール補正条件を設定できるようにすることが可能となる。
【発明を実施するための最良の形態】
【００１３】
以下、添付図面を参照して、本発明を実施するための最良の形態(以下、実施の形態という)について詳細に説明する。
＜実施の形態１＞
図１は、本実施の形態に係るフルカラー画像形成装置１の全体構成を示す概略図であり、図２は、その要部を拡大した図である。このフルカラー画像形成装置１は、所謂タンデム型、所謂中間転写方式の画像形成装置であって、原稿の画像を読み取る画像読み取り部２、用紙上に画像を形成する画像形成部３、画像形成部３に対して記録材あるいはシートとしての用紙を供給する用紙供給部４、画像形成後の用紙を排出する用紙排出部５によって構成される。
【００１４】
本実施の形態において、画像読み取り部２は、透明な原稿台にセットされた原稿の画像を読み取るものであり、例えば、ランプ、ミラー及びキャリッジ等からなる光学走査系と、この光学走査系で走査された光学像を結像させるレンズ系と、このレンズ系で結像された光学像を受光して電気信号に変換するＣＣＤ等の画像読み取りセンサとを備えて構成されている。
【００１５】
また、画像形成部３は、電子写真方式にて各色成分のトナー像が形成される複数の画像形成ユニット１０(１０Ｙ,１０Ｍ,１０Ｃ,１０Ｋ)を備えている。また画像形成部３は、各画像形成ユニット１０にて形成された各色成分トナー像を順次転写(一次転写)して保持させる中間転写ベルト１５、中間転写ベルト１５上に転写された重ねトナー像を記録材(シート)である用紙Ｐに一括転写(二次転写)させる二次転写部２０を備えている。さらに、画像形成部３は、二次転写された画像を用紙Ｐ上に定着させる定着部４６を備えている。また、画像形成部３は、各装置(各部)の動作を制御する制御手段としての制御部４０、画像読み取り部２や図示しないＰＣ(Personal Computer)から出力されてくる画像データに基づいて画像形成用のデータを作成するＩＰＳ(Image Processing System)４４を有している。なお、本実施の形態では、各画像形成ユニット１０Ｙ,１０Ｍ,１０Ｃ,１０Ｋ、中間転写ベルト１５、および二次転写部２０等によって、画像形成部が構成されている。
【００１６】
各画像形成ユニット１０(１０Ｙ,１０Ｍ,１０Ｃ,１０Ｋ)は、矢印α方向に回転する感光体ドラム１１、感光体ドラム１１の周囲に設けられ、感光体ドラム１１を所定の電位に帯電する帯電器１２、感光体ドラム１１上に静電潜像が書込まれるレーザ露光器１３(図中露光ビームを符号Ｂｍで示す)、各色成分トナーが収容されて感光体ドラム１１上の静電潜像をトナーにより可視像化する現像装置１４を備えている。さらに、感光体ドラム１１の周囲には、感光体ドラム１１上に形成された各色成分トナー像を中間転写ベルト１５に転写する一次転写ロール１６、感光体ドラム１１上の残留トナーが除去されるドラムクリーナ１７、などの電子写真用デバイスも配設される。
【００１７】
中間転写ベルト１５は、各種ロールによって図に示すβ方向に所定の速度で循環駆動(回動)されている。この各種ロールとして、定速性の駆動モータ(図示せず)により駆動されて中間転写ベルト１５を循環駆動させる駆動ロール３１、各感光体ドラム１１の配列方向に沿って略直線状に延びる中間転写ベルト１５を支持する支持ロール３２、中間転写ベルト１５に対して一定の張力を与えると共に中間転写ベルト１５の蛇行を防止する補正ロールとして機能するテンションロール３３、二次転写部２０に設けられるバックアップロール２２、二次転写部２０よりも中間転写ベルト１５の搬送方向下流側に設けられるアイドルロール３４を有している。
【００１８】
各感光体ドラム１１に対向し、略直線状に延びる中間転写ベルト１５の内側に設けられる各一次転写ロール１６には、トナーの帯電極性と逆極性(本実施の形態では正極性)の電圧が印加されるようになっている。これにより、各々の感光体ドラム１１上のトナー像が中間転写ベルト１５に順次、静電吸引され、中間転写ベルト１５上に重畳されたトナー像が形成される。
二次転写部２０は、中間転写ベルト１５のトナー像担持面側に配置される二次転写ロール２１と、バックアップロール２２等とによって構成される。このバックアップロール２２は、中間転写ベルト１５の裏面側に配置されて二次転写ロール２１の対向電極をなし、二次転写バイアスが安定的に印加される金属製の給電ロール２３が当接配置されている。
【００１９】
また、中間転写ベルト１５の二次転写部２０よりも下流側には、中間転写ベルト１５を挟んで駆動ロール３１に対向して配置され、二次転写後の中間転写ベルト１５上の残留トナーや紙粉を除去し、中間転写ベルト１５の表面をクリーニングするベルトクリーナ３５が中間転写ベルト１５に対して接離自在に設けられている。一方、イエローの画像形成ユニット１０Ｙの上流側には、各画像形成ユニット１０における画像形成タイミングの整合をとるための基準となる基準信号を発生する基準センサ(ホームポジションセンサ)４１が配置されている。また、黒の画像形成ユニット１０Ｋの下流側には、各色の画質調整を行うための画像濃度センサ４２が配設されている。この基準センサ４１は、中間転写ベルト１５の裏側に設けられた所定のマークを認識して基準信号を発生しており、この基準信号の認識に基づく制御部４０からの指示により、各画像形成ユニット１０(１０Ｙ,１０Ｍ,１０Ｃ,１０Ｋ)は画像形成を開始するように構成されている。また、中間転写ベルト１５の内側には、温度センサ４７および湿度センサ４８が配設されている。
【００２０】
さらに、二次転写部２０の下流側には、二次転写後の用紙Ｐを吸引しながら搬送するバキューム搬送部４５が設けられている。このバキューム搬送部４５は、二次転写ロール２１によってトナー像が転写された用紙Ｐを吸引しながら定着部４６へと搬送するものであり、定着部４６は、加熱加圧等によって用紙Ｐにトナー像を定着させるものである。本実施の形態において、定着部４６は、用紙Ｐの画像形成面に対向配置される加熱ロール４６ａと、この加熱ロール４６ａに圧接配置されて定着ニップを形成する加圧ベルト４６ｂと、加熱ロール４６ａに内蔵される加熱源としてのハロゲンランプ４６ｃとを備えている。
【００２１】
一方、用紙供給部４は、第一のトレイ５０、第二のトレイ５１及び第三のトレイ５２に収容された各々の用紙Ｐを、それぞれ所定の経路で搬送するものである。各トレイ５０〜５２の近傍には、それぞれに対応する送り出しロール５３,５４,５５が配設されている。各送り出しロール５３〜５５は、対応するトレイ５０〜５２から一枚ずつ分離して取り出された用紙Ｐをニップして用紙搬送路上に一時停止させると共に、所定のスタート信号に基づくタイミングで用紙搬送方向の下流側に用紙Ｐを送り出すものである。さらに、用紙供給部４の上部であって画像読み取り部２の近傍には、ユーザによって操作される操作パネル５６およびこの操作パネル５６に隣接して入力用のキーボード５６ａが配設され、第三のトレイ５２の下側には、このフルカラー画像形成装置１の電源４３が配置されている。本実施の形態では、操作パネル５６やキーボード５６ａ等を用いて、トレイ番号(第一のトレイ５０、第二のトレイ５１、第三のトレイ５２にそれぞれ付された番号)毎に、そのトレイに収容される用紙Ｐの種類(例えば坪量、コート層の有無、コート層の種類等)の入力が受け付けられるようになっている。そして、この内容は図示しないメモリに格納され、操作パネル５６およびキーボード５６ａにて所定のトレイ番号が入力されたときに、該当するトレイに収容される用紙Ｐの属性についての情報が表示されるようになっている。なお、本実施の形態では、これら操作パネル５６およびキーボード５６ａが、入力受付部、選択受付部および受付手段として機能している。
【００２２】
ここで、各送り出しロール５３〜５５による用紙Ｐの送り出し位置から、画像形成部３の画像形成処理位置を経由して排出トレイ５７に至る一連の用紙搬送路Ｒ１〜Ｒ５には、それぞれ用紙搬送のための搬送ロールが適宜配設されている。第一のトレイ５０に収容された用紙Ｐは、送り出しロール５３により送り出された後、第一の用紙搬送路Ｒ１を経由して合流搬送部５８へと送り込まれる。また、第二のトレイ５１に収容された用紙Ｐは、送り出しロール５４により送り出された後、第一の用紙搬送路Ｒ１を経由して合流搬送部５８へと送り込まれる。一方、第三のトレイ５２に収容された用紙Ｐは、送り出しロール５５によって合流搬送部５８へと直接送り込まれる。
【００２３】
また、合流搬送部５８に送り込まれた用紙Ｐは、第二の用紙搬送路Ｒ２を経由して画像形成部３の二次転写部２０へと送り込まれる。更に、二次転写部２０を通過した用紙Ｐは、バキューム搬送部４５により定着部４６に送り込まれた後、第三の用紙搬送路Ｒ３を経由して排出トレイ５７へと排出される。これに対して、両面に画像が形成される用紙Ｐは、定着部４６を通過した後、第四の用紙搬送路Ｒ４を経由して両面反転部５９に送り込まれ、ここで表裏反転された後、第五の用紙搬送路Ｒ５を経由して再び合流搬送部５８へと送り込まれる。
【００２４】
このような用紙搬送路Ｒ１〜Ｒ５において、第二の用紙搬送路Ｒ２には姿勢補正部６０とレジストロール６１とが配設されている。姿勢補正部６０は第二の用紙搬送路Ｒ２を搬送される用紙Ｐの姿勢を補正するものであり、レジストロール６１は互いに圧接状態に保持された一対のロールによって構成されたもので、これら一対のロール間で用紙Ｐをニップしつつ、所定のスタート信号に基づくタイミングでこのロール対を回転させることによって二次転写部２０に用紙Ｐを送り込むものである。
【００２５】
また、用紙排出部５に設けられる第三の用紙搬送路Ｒ３には、定着部４６において定着を行う際に生じた用紙Ｐのカールを補正する第一のカール補正部(カール補正部、カール補正手段)６２が設けられている。他方、画像形成部３に設けられる第五の用紙搬送路Ｒ５には、定着部４６を通過し両面画像形成を行うために反転搬送される用紙Ｐのカールを補正する第二のカール補正部６３が設けられている。なお、第一のカール補正部６２の詳細については後述する。
【００２６】
続いて、本実施の形態にかかるタンデム型フルカラー画像形成装置１の基本的な画像形成動作について説明する。まず、画像読み取り部２によって原稿の画像が読み取られると、これによって得られた画像信号に基づいて画像形成部３でトナー像が形成される。画像形成部３では、四つの感光体ドラム１１を回転駆動しつつ、それぞれに対応する帯電器１２、レーザ露光器１３、現像装置１４によって各感光体ドラム１１の表面にイエロー、マゼンタ、シアン、黒のトナー像が形成される。このようにして形成された各色のトナー像は、一次転写ロール１６によって順次中間転写ベルト１５上に重ね転写される。これにより、中間転写ベルト１５には、四色のトナー像を重ね合わせた多色(フルカラー)のトナー像が形成される。そして、中間転写ベルト１５に形成されたトナー像は、中間転写ベルト１５に担持された状態で二次転写部２０へと送り込まれる。
【００２７】
一方、操作パネル５６を用いてユーザにより選択されたトレイの用紙Ｐ、あるいは自動選択機能によって選択されたトレイの用紙Ｐは、二次転写部２０に中間転写ベルト１５上のトナー像が到達するタイミングに合わせてレジストロール６１により送り込まれる、例えば、選択されたトレイが第一のトレイ５０である場合には、送り出しロール５３によって送り出された用紙Ｐが第一の用紙搬送路Ｒ１を経由して合流搬送部５８に送り込まれ、更に第二の用紙搬送路Ｒ２を経由して姿勢補正部６０にてその姿勢が補正された後、レジストロール６１により二次転写部２０へと送り込まれることになる。
【００２８】
そして、画像形成部３の二次転写部２０では、中間転写ベルト１５に担持されたトナー像(フルカラー画像)が二次転写ロール２１によって用紙Ｐに一括転写(二次転写)される。その後、トナー像が転写された用紙Ｐはバキューム搬送部４５によって定着部４６に送られ、加熱加圧定着がなされた後、第三の用紙搬送路Ｒ３を経由し、第一のカール補正部６２によってカール補正がなされた後、排出トレイ５７に排出される。
【００２９】
また、用紙Ｐの両面に画像形成が行われる場合は、片面に画像形成された用紙Ｐが第四の用紙搬送路Ｒ４を経由して両面反転部５９に送られ、そこで表裏反転されて第五の用紙搬送路Ｒ５に送られる。その後、片面に画像が形成された用紙Ｐは、第二のカール補正部６３を通過することによってカール補正がなされ、さらに第五の用紙搬送路Ｒ５に沿って搬送された後、この第五の用紙搬送路Ｒ５の終端近傍に設けられた送り出しロール６４に突き当てられて一時停止する。そして、所定の再スタート信号に基づく送り出しロール６４の回転により、片面に画像形成された用紙Ｐは、タイミング調整されて合流搬送部５８に再度送り込まれる。以降は、同様にトナー像が用紙Ｐに転写、定着された後、第三の用紙搬送路Ｒ３を経由し、第一のカール補正部６２によってカール補正がなされた後、排出トレイ５７に排出される。
【００３０】
図３は、上述した第一のカール補正部６２の構成を示す図である。この第一のカール補正部６２は、定着部４６(図１参照)通過後に、用紙Ｐの搬送方向両端部が上を向くように曲がるアッパーカールを補正するアッパーカール補正部７０と、用紙Ｐの搬送方向両端部が下を向くように曲がるダウンカールを補正するダウンカール補正部８０とを備えている。本実施の形態では、第三の用紙搬送路Ｒ３に、並列に分岐した後に再び集合するアッパーカール補正用搬送路Ｒ３ａおよびダウンカール補正用搬送路Ｒ３ｂが設けられている。そして、アッパーカール補正用搬送路Ｒ３ａにはアッパーカール補正部７０が、ダウンカール補正用搬送路Ｒ３ｂにはダウンカール補正部８０が、それぞれ配置されている。
【００３１】
また、アッパーカール補正部７０およびダウンカール補正部８０からみて用紙Ｐの搬送方向上流側には、第三の用紙搬送路Ｒ３をアッパーカール補正用搬送路Ｒ３ａおよびダウンカール補正用搬送路Ｒ３ｂに分岐し且つ用紙Ｐを案内するための上流側ガイド６５が設けられている。この上流側ガイド６５の分岐部近傍には、軸６６ａを中心に揺動自在に配設され、定着部４６(図１参照)から搬送されてくる用紙Ｐの向きをアッパーカール補正用搬送路Ｒ３ａ側(アッパーカール補正部７０側)またはダウンカール補正用搬送路Ｒ３ｂ側(ダウンカール補正部８０側)に切り替えるためのゲート６６が配置されている。
【００３２】
一方、アッパーカール補正部７０およびダウンカール補正部８０からみて用紙Ｐの搬送方向下流側には、アッパーカール補正用搬送路Ｒ３ａおよびダウンカール補正用搬送路Ｒ３ｂを第三の用紙搬送路Ｒ３に集合し且つ用紙Ｐを案内するための下流側ガイド６７が設けられている。この下流側ガイド６７の集合部よりも下流側には、用紙Ｐを排出トレイ５７(図１参照)に送り出すための排出ロール６８が取り付けられている。
【００３３】
アッパーカール補正部７０は、第一のベルト７１ａを備えた第一のベルト搬送部７１と、この第一のベルト７１ａに押し付けられて湾曲したニップ域(第一のニップ域)を形成する第一の押圧ロール７２ａを備えた第一の湾曲ニップ形成部７２とを備えている。また、アッパーカール補正部７０は、第一のベルト搬送部７１よりも用紙Ｐの搬送方向上流側で用紙Ｐをニップ搬送する第一の搬送ロール７３を備えている。さらに、アッパーカール補正部７０は、アッパーカール補正用搬送路Ｒ３ａ中を搬送されてくる用紙Ｐを第一のニップ域に導くための第一の湾曲ニップガイド７４を備えている。
【００３４】
ここで、第一のベルト搬送部７１は、回動可能に配設される第一のベルト７１ａと、この第一のベルト７１ａを回動可能に張架する第一の駆動ロール７１ｂおよび第一の従動ロール７１ｃとを備えている。また、第一の湾曲ニップ形成部７２は、回転可能に配設される第一の押圧ロール７２ａと、この第一の押圧ロール７２ａを回転可能に支持する第一の支持部材７２ｂと、第一の押圧ロール７２ａよりも第一のベルト７１ａから遠い側の第一の支持部材７２ｂに回転可能に支持される第一のカム当接部材７２ｃとを有している。この第一のカム当接部材７２ｃには、軸６９を中心として回動可能に配設される第一のカム７５が当接配置されている。この第一のカム７５は多角形状を有しており、軸６９の中心からの距離が異なる複数(本実施の形態では三つ)の端面を第一のカム当接部材７２ｃに当接させることで、第一のベルト７１ａに対する第一の押圧ロール７２ａの食い込み状態(第一のニップ域の形状)を三段階(強・中・弱)で変化させることが可能となっている。
【００３５】
一方、ダウンカール補正部８０は、第二のベルト８１ａを備えた第二のベルト搬送部８１と、この第二のベルト８１ａに押し付けられて湾曲したニップ域(第二のニップ域)を形成する第二の押圧ロール８２ａを備えた第二の湾曲ニップ形成部８２とを備えている。また、ダウンカール補正部８０は、第二のベルト搬送部８１よりも用紙Ｐの搬送方向上流側で用紙Ｐをニップ搬送する第二の搬送ロール８３を備えている。さらに、ダウンカール補正部８０は、ダウンカール補正用搬送路Ｒ３ａ中を搬送されてくる用紙Ｐを第二のニップ域に導くための第二の湾曲ニップガイド８４を備えている。
【００３６】
ここで、第二のベルト搬送部８１は、回動可能に配設される第二のベルト８１ａと、この第二のベルト８１ａを回動可能に張架する第二の駆動ロール８１ｂおよび第二の従動ロール８１ｃとを備えている。また、第二の湾曲ニップ形成部８２は、回転可能に配設される第二の押圧ロール８２ａと、この第二の押圧ロール８２ａを回転可能に支持する第二の支持部材８２ｂと、第二の押圧ロール８２ａよりも第二のベルト８１ａから遠い側の第二の支持部材８２ｂに回転可能に支持される第二のカム当接部材８２ｃとを有している。この第二のカム当接部材８２ｃには、軸６９を中心として回動可能に配設される第二のカム８５が当接配置されている。この第二のカム８５は多角形状(第一のカム７５と同一のプロファイル)を有しており、軸６９の中心からの距離が異なる複数(本実施の形態では三つ)の端面を第二のカム当接部材８２ｃに当接させることで、第二のベルト８１ａに対する第二の押圧ロール８２ａの食い込み状態(第二のニップ域の形状)を三段階(強・中・弱)で変化させることが可能となっている。
【００３７】
つまり、本実施の形態では、アッパーカール補正部７０に設けられた第一のカム７５およびダウンカール補正部８０に設けられた第二のカム８５が、ともに軸６９が駆動されることに伴って回動する。そして、第一のカム７５および第二のカム８５の取り付けを工夫することにより、軸６９を所定の位置まで回動させて停止させたときに、第一の押圧ロール７２ａによる第一のベルト７１ａへの食い込み状態および第二の押圧ロール８２ａによる第二のベルト８１ａへの食い込み状態が同一となるように構成されている。
【００３８】
図４は、制御部４０の機能を説明するためのブロック図である。なお、制御部４０は、画像形成装置全体の制御を行っているが、図６には、第一のカール補正部６２におけるカール補正の制御に関連する機能ブロックのみを示している。
制御部４０のＣＰＵ１０１は、ＲＯＭ１０２に記憶されたプログラムに従い、ＲＡＭ１０３との間で適宜データのやりとりを行いながら処理を実行する。そして、制御部４０には、タイマ１０４が設けられている。また、この制御部４０には、入出力インタフェース１０５を介して、操作パネル５６およびキーボード５６ａにて受け付けられたジョブ開始指示情報、用紙種類情報(第一のトレイ５０、第二のトレイ５１、および第三のトレイ５２のうち、いずれのトレイに収容される用紙Ｐを使用するのかについての情報)が入力される。さらに、制御部４０には、入出力インタフェース１０５を介して、ＩＰＳ４４から用紙Ｐに形成される画像の密度情報(画像密度情報)が用紙Ｐ一枚毎に入力される。さらにまた、制御部４０には、入出力インタフェース１０５を介して、温度センサ４７からの温度情報、湿度センサ４８からの湿度情報、および用紙検知センサ４９からの用紙検知情報が入力される。
【００３９】
一方、制御部４０は、入出力インタフェース１０５を介して、第一のベルト搬送部７１(実際には第一の駆動ロール７１ｂ)および第二のベルト搬送部８１(実際には第二の駆動ロール８１ｂ)を駆動する搬送ベルト駆動モータ９１を制御している。また、制御部４０は、軸６９を介して第一のカム７５および第二のカム８５を駆動するカム駆動モータ９２を制御している。さらに、制御部４０は、ゲート６６を駆動するゲート駆動モータ９３を制御している。なお、搬送ベルト駆動モータ９１は、上述した第一のベルト搬送部７１および第二のベルト搬送部８１の他に、排出ロール６８、第一の搬送ロール７３、および第二の搬送ロール８３の駆動も行っている。
【００４０】
次に、図１〜図４を参照しつつ、第一のカール補正部６２におけるカール補正動作について説明する。定着部４６を通過して画像が定着された用紙Ｐは、定着部４６で受けた熱により、画像形成面が内側となるように湾曲したり、あるいは画像形成面が外側となるように湾曲したりすることがある。本実施の形態に係る画像形成装置の場合、前者は用紙Ｐの搬送方向両端部が上がるアッパーカールとなり、後者は用紙Ｐの搬送方向両端部が下がるダウンカールとなる。制御部４０では、操作パネル５６あるいはキーボード５６ａを介して、このジョブで使用される用紙Ｐが収容されるトレイの番号の指定が受け付けられる。そして、制御部４０では、受け付けたトレイに収容される用紙Ｐの種類(例えば坪量、コート層の有無、コート層の種類等)をメモリから読み出している。そして、制御部４０では、操作パネル５６やキーボード５６ａを介して入力されたトレイ情報に基づく用紙Ｐの種類、温度センサ４７からの温度情報、湿度センサ４８からの湿度情報、ＩＰＳ４４からの画像密度情報に基づき、テーブルを参照して適切なカール補正条件を取得している。すなわち、制御部４０では、受け付けたこれらの情報に基づいて、次に第一のカール補正部６２に搬送されてくる用紙Ｐに、アッパーカール、ダウンカールのいずれが生じているのか、および、生じるカール(アッパーカール、ダウンカール)はどの程度(強・中・弱)であるのかを予測して、ゲート６６の切り替えおよび第一のベルト７１ａに対する第一の押圧ロール７２ａの食い込み状態(第二のベルト８１ａに対する第二の押圧ロール８２ａの食い込み状態)の選択・設定を行って、自動的にカール補正を実行している。
【００４１】
今、第一のカール補正部６２に用紙Ｐが搬送されてくる前に、搬送ベルト駆動モータ９１によって第一のベルト搬送部７１における第一のベルト７１ａおよび第二のベルト搬送部８１における第二のベルト８１ａは駆動され、それぞれ図中矢印方向に回動する。また、第一の搬送ロール７３、第二の搬送ロール８３、および排出ロール６８も搬送ベルト駆動モータ９１によって駆動され、図中矢印方向に回動する。さらに、搬送されてくる用紙Ｐに生じるカールの方向(アッパーカールまたはダウンカール)および生じるカールの程度(強・中・弱)に応じて第一のベルト７１ａに対する第一の押圧ロール７２ａの食い込み量(アッパーカールの場合)または第二のベルト８１ａに対する第二の押圧ロール８２ａの食い込み量(ダウンカールの場合)が決定され、これに基づいてカム駆動モータ９２によって軸６９が回動せしめられ、第一のカム７５または第二のカム８５が所定の位置にセットされる。
【００４２】
ここで、第一のカム７５が所定の位置にセットされると、第一のカム７５の位置に応じて第一のカム当接部材７２ｃおよびこの第一のカム当接部材７２ｃが取り付けられる第一の支持部材７２ｂが位置決めされる。その結果、この第一の支持部材７２ｂに取り付けられる第一の押圧ロール７２ａの、第一のベルト７１ａへの食い込み状態が、所定の状態(強・中・弱のいずれか)に設定される。他方、第二のカム８５が所定の位置にセットされると、第二のカム８５の位置に応じて第二のカム当接部材８２ｃおよび第二のカム当接部材８２ｃが取り付けられる第二の支持部材８２ｂが位置決めされる。その結果、この第二の支持部材８２ｂに取り付けられる第二の押圧ロール８２ａの、第二のベルト８１ａへの食い込み状態が、所定の状態(強・中・弱のいずれか)に設定される。ここで、本実施の形態では、上述したような位置関係で第一のカム７５および第二のカム８５を配置しているので、第一のカム７５によるアッパーカール補正部７０側の食い込み状態が「強」に設定されているときには、第二のカム８５によるダウンカール補正部８０側の食い込み量も「強」に設定される。なお、食い込み状態が例えば「強」に設定されるのは、用紙Ｐに生じるカールが大きいときであり、食い込み状態が例えば「弱」に設定されるのは、用紙Ｐに生じるカールが小さいときである。
【００４３】
次に、搬送されてくる用紙Ｐに生じるカールの向きに応じてゲート６６の位置が決定される。具体的には、ゲート６６がアッパーカール補正用搬送路Ｒ３ａを開放してダウンカール補正用搬送路Ｒ３ｂを閉鎖する位置(アッパーカールの場合)、または、ゲート６６がダウンカール補正用搬送路Ｒ３ｂを開放してアッパーカール補正用搬送路Ｒ３ａを閉鎖する位置(ダウンカールの場合)のどちらかにセットされる。このゲート６６の設定動作は、用紙Ｐの先端が用紙検知センサ４９にて検知された際に行われる。
【００４４】
アッパーカールした用紙Ｐの場合、用紙Ｐはゲート６６によって第三の用紙搬送路Ｒ３からアッパーカール補正用搬送路Ｒ３ａへと導かれ、第一の搬送ロール７３によってさらに搬送されて第一のベルト７１ａと第一の押圧ロール７２ａとが当接する第一のニップ域に到達する。すると、用紙Ｐは、第一のベルト７１ａと第一の押圧ロール７２ａとにニップされることによってアッパーカールとは逆側に湾曲せしめられる力を受け、その結果、アッパーカールの補正がなされる。そして、カール補正がなされた用紙Ｐは、排出ロール６８によってさらに搬送され、排出トレイ５７(図１参照)に向けて送り出される。
【００４５】
一方、ダウンカールした用紙Ｐの場合、用紙Ｐはゲート６６によって第三の用紙搬送路Ｒ３からダウンカール補正用搬送路Ｒ３ｂへと導かれ、第二の搬送ロール８３によってさらに搬送されて第二のベルト８１ａと第二の押圧ロール８２ａとが当接する第二のニップ域に到達する。すると、用紙Ｐは、第二のベルト８１ａと第二の押圧ロール８２ａとにニップされることによってダウンカールとは逆側に湾曲せしめられる力を受け、その結果、ダウンカールの補正がなされる。そして、カール補正がなされた用紙Ｐは、排出ロール６８によってさらに搬送され、排出トレイ５７(図１参照)に向けて送り出される。
【００４６】
このように、第一のカール補正部６２では、用紙Ｐの種類、環境条件(温度、湿度)、および形成される画像の密度に基づいて定着部４６を通過した用紙Ｐに生じるカールの向きおよびカールの程度を予測しながら、カール補正の制御が行われている。
しかしながら、実際に用紙に生じるカールの向きやカールの程度は、他の条件も絡んでくるために必ずしも一義的には決まらず、予測とは逆方向へのカールが生じたり、あるいは、予測よりもカールの程度が大きかったり(小さかったり)することもある。このような場合には、排出トレイ５７に排出される用紙Ｐにカールが残ったままとなってしまう。
そこで、本実施の形態では、上述したように第一のカール補正部６２におけるカール補正条件が自動的に設定される自動設定モード(第一のカール補正モード)の他に、カール補正条件を手動で設定できる手動設定モード(第二のカール補正モード)も準備されている。
【００４７】
手動設定モードでは、第一のカール補正部６２において、各種カール補正条件にて用紙Ｐにカール補正を行って複数のカール補正サンプルを出力する。そして、各種カール補正条件にて出力された各カール補正サンプルをユーザが目視で確認した後、最もカール補正の状態が良好であるカール補正サンプルを作成した条件にカール補正条件を設定できるようになっている。なお各種カール補正条件とは、カール補正にアッパーカール補正部７０、ダウンカール補正部８０のいずれを使用するのか(ゲート６６をどちらに設定するのか)、および、アッパーカール補正部７０、ダウンカール補正部８０における食い込み量の設定を強・中・弱のいずれに設定するのか(第一のカム７５、第二のカム８５をどの位置に設定するのか)、の組み合わせで決まる。したがって、本実施の形態では、６種類のカール補正条件(複数段階のカール補正条件)が存在することになる。なお、例えば第一のカム７５および第二のカム８５として楕円形状のものを使用することにより、無段階でカール補正条件を変更することも可能である。
【００４８】
次に、図５に示すフローチャートおよび図６に示すＵＩ画面例を参照しながら、本実施の形態におけるカール補正条件の手動設定モードについて説明する。なお、本実施の形態において、ジョブの初期段階では自動設定モードでカール補正が行われているものとする。
まず、ユーザによって操作パネル５６あるいはキーボード５６ａが操作されることにより、印刷開始指示がなされると(ステップ１０１)、ジョブすなわち画像形成動作が開始される。そして、各画像形成ユニット１０(１０Ｙ,１０Ｍ,１０Ｃ,１０Ｋ)で作成されたトナー像が中間転写ベルト１５を介して用紙Ｐに転写され、定着部４６によって定着された後、第一のカール補正部６２を通過して排出トレイ５７に排出される。このとき、第一のカール補正部６２では、上述したプロセスにしたがってカール補正の向きおよび強さが自動的に設定され、用紙Ｐのカール補正が行われる。
ここで、図６(ａ)は、ジョブ(画像形成動作)の開始時に操作パネル５６に表示されるＵＩ(ユーザインタフェース)の一例を示している。このとき、操作パネル５６には、「印刷しています」のメッセージが表示される他、第一のカール補正部６２におけるカール補正量の調整すなわち「デカーラ調整」の実行を選択するためのボタンも表示されている。
【００４９】
ジョブの実行によって画像が形成された用紙Ｐは次々とプリントアウトされ、排出トレイ５７上に排出される。ユーザは、排出トレイ５７上の用紙Ｐのカール状態を目視で確認する。ここで、排出された用紙Ｐに残るカールがユーザにとって気になる程度であった場合、ユーザは、上記操作パネル５６の「デカーラ調整」のボタンを押下する。すると、制御部４０では、「デカーラ調整」ボタンが押下されたことを認識し(ステップ１０２)、次に、図６(ｂ)に示すように、操作パネル５６にデカーラ調整を行うか否かのメッセージを表示し、ユーザによる選択を受け付ける(ステップ１０３)。
【００５０】
図６(ｂ)に示す画面において「はい」ボタンが押下されると、一旦、ジョブが中断され(ステップ１０４)、各種カール補正条件(上述した６種類のカール補正条件)でカール補正を行った記録材(カール補正サンプル)の出力が開始される(ステップ１０５)。すなわち、カール補正サンプルの出力指示がなされることになる。カール補正サンプルの出力が開始されると、操作パネル５６には、図６(ｃ)に示すようにカール補正サンプルの出力中であることを示すメッセージが表示される。なお、カール補正サンプルを出力する際には、ステップ１０４で中断されたジョブと同じ条件で用紙Ｐに画像が形成される。これは、用紙Ｐのカールが補正しきれなかった条件を再現するためである。本実施の形態では、６種類のカール補正条件が存在するため、カール補正サンプルとして６枚の用紙Ｐに画像が形成され、出力される。そして、６枚の用紙Ｐに対し、第一のカール補正部６２において、用紙Ｐ１枚毎に異なる６種類のカール補正条件でカール補正がなされる。
【００５１】
ここで、図７は、ステップ１０５において出力されるカール補正サンプルの一例を示している。図７に示すように、各カール補正サンプルの用紙Ｐには画像Ｇが形成されている。また、用紙Ｐには、画像Ｇの他に、「カールの最も少ないサンプル番号を操作画面より入力して下さい」というメッセージＭ、および、カール補正条件毎に付されたサンプル番号Ｎ(図７に示す例では「３」)も形成される。なお、表１には、カール補正条件とサンプル番号Ｎとの関係を示す。
【００５２】
【表１】
2006290506.tif 000003
【００５３】
ここで、ゲート６６の位置は、用紙Ｐをアッパーカール補正部７０へと導く第一の位置(図３に示す位置)、用紙Ｐをダウンカール補正部８０へと導く第二の位置のいずれかより選択される。また、第一のカム７５あるは第二のカム８５の位置は、第一の押圧ロール７２ａあるいは第二の押圧ロール８２ａが第一のベルト７１ａあるいは第二のベルト８１ａを強く押す位置Ａ(強)、弱く押す位置Ｃ(弱)、強と弱との間の位置Ｂ(中)のいずれかより選択される。
【００５４】
そして、６種類のカール補正サンプルの出力が終了すると、操作パネル５６には、図６(ｄ)に示すように、カール補正サンプルの出力が終了したことを知らせるメッセージが表示される(ステップ１０６)。このとき、操作パネル５６には、上述したメッセージの他、カールが最も少なかったユーザが判断したカール補正サンプルのサンプル番号Ｎを入力するためのウィンドウも表示される。そして、例えばキーボード５６ａを介してサンプル番号Ｎが入力されたことを受け付けると(ステップ１０７)、受け付けられたサンプル番号Ｎのカール補正サンプルを出力した際のカール補正条件の設定が行われる(ステップ１０８)。いま、例えば、ユーザによりサンプル番号３が選択されていた場合には、上記表１に示すように、ゲート６６の位置が第一の位置すなわちアッパーカール補正部７０を使用するように設定される。また、第一のカム７５の位置がＣの位置に設定されることにより、アッパーカール補正部７０において第一のベルト７１ａに対する第一の押圧ロール７２ａの押圧力が弱く設定される。つまり、この場合には、用紙Ｐに生じたアッパーカールを弱い力で補正する設定となる。
【００５５】
そして、カール補正条件の設定が終了すると、次に、ステップ１０４で中断したジョブを初めから印刷する(やり直す)のか否かが判断される(ステップ１０９)。このとき、操作パネル５６には、図６(ｅ)に示すように、はじめから(１枚目から)印刷するのか、あるいは、途中から(ジョブ中断時点の続きから)印刷するのかについての入力を促す画面が表示される。ここで、「はじめから(１枚目から)」が選択された場合には、１枚目から印刷を開始し、ジョブを実行し(ステップ１１０)、ジョブの終了と共に一連の処理を終了する。一方、「途中から」が選択された場合には、ジョブが中断された時点の続きから印刷を再開し(ステップ１１１)、ジョブの終了と共に一連の処理を終了する。なお、操作パネル５６に図６(ｅ)に示す画面が表示された時点からタイマ１０４で計時が開始され、タイマ１０４による計時時間が１分となった時点でも選択がなされていなかった場合には、自動的にステップ１１１に進み、途中から印刷を再開することとなる。また、ステップ１０３で、図６(ｂ)に示す画面において「いいえ」ボタンが押下されると、そのままジョブが続行される。
【００５６】
以上説明したように、本実施の形態では、第一のカール補正部６２におけるカール補正条件を種々変えながら用紙Ｐを挿通させ、カール補正サンプルとして出力するようにした。ここで、カール補正条件としては、アッパーカール補正部７０およびダウンカール補正部８０のいずれを使用するのか、および、アッパーカール補正部７０およびダウンカール補正部８０における押圧力を異ならせるようにした。これにより、各カール補正条件におけるカールの補正状態を確認することができる。
【００５７】
また、本実施の形態では、カール補正サンプルを出力するに際して、実際に形成すべき画像を用紙Ｐに形成し、定着部４６で定着した後に第一のカール補正部６２に供給するようにした。これにより、実際の画像形成と同じ条件でカールの発生状態を確認することが可能となる。さらに、本実施の形態では、用紙Ｐに画像を形成する際に、各カール補正条件に対応するサンプル番号を一緒に形成するようにした。そして、出力されたカール補正サンプルのうち、最もカール補正が良好に行われたもののサンプル番号を操作パネル５６およびキーボード５６ａ等を用いて入力できるようにした。そして、フルカラー画像形成装置１では、受け付けられたサンプル番号のカール補正サンプルを出力した際のカール補正条件を、第一のカール補正部６２に設定するようにした。これにより、実際の画像形成時に出力される用紙Ｐに生じるカールを、極力抑えることが可能になる。
【００５８】
特に、本実施の形態では、ジョブの途中でカール補正がうまくいっていないことが判明した場合に、一旦ジョブを中断して、カール補正サンプルの出力を実行できるようにした。これにより、カールが発生した用紙Ｐが大量に出力されることがなくなり、用紙Ｐの無駄を抑えることができる。
【００５９】
＜実施の形態２＞
本実施の形態は、実施の形態１と略同様であるが、実施の形態１では、開始されたジョブの途中でユーザがカール補正(デカーラ調整)を行うか否かを設定していたのに対し、本実施の形態では、ジョブを開始する前にデカーラ調整を行うか否かを設定できるようにしたものである。なお、本実施の形態において、実施の形態１と同様のものについては、同じ符号を付してその詳細な説明を省略する。
【００６０】
次に、図８に示すフローチャートおよび図９、図６に示すＵＩ画面例を参照しながら、本実施の形態におけるカール補正条件の手動設定モードについて説明する。
まず、ユーザによって印刷開始指示がなされると(ステップ２０１)、図９(ａ)に示すように、操作パネル５６にデカーラ調整を行うか否かのメッセージを表示し、ユーザによる選択を受け付ける(ステップ２０２)。図９(ａ)に示す画面において「はい」ボタンが押下されると、各種カール補正条件(上述した６種類のカール補正条件)でカール補正を行ったサンプル(カール補正サンプル)の出力が開始される(ステップ２０３)。すなわち、カール補正サンプルの出力指示がなされたことになる。カール補正サンプルの出力が開始されると、操作パネル５６には、図６(ｃ)に示すようにカール補正サンプルの出力中であることを示すメッセージが表示される。なお、カール補正サンプルを出力する際には、これから行われるジョブと同じ条件で用紙Ｐに画像が形成される。これは、用紙Ｐに生じるカールをより確実に補正するためである。本実施の形態では、実施の形態１と同様に６種類のカール補正条件が存在するため、カール補正サンプルとして６枚の用紙Ｐに画像が形成され、出力される。そして、６枚の用紙Ｐに対し、第一のカール補正部６２において、用紙Ｐ１枚毎に異なる６種類のカール補正条件でカール補正がなされる。なお、出力されるカール補正サンプルは、実施の形態１と同様に図７に示すようなものであり、各カール補正条件は、実施の形態１と同様に表１に示すようなものである。
【００６１】
そして、６種類のカール補正サンプルの出力が終了すると、操作パネル５６には、図６(ｄ)に示すように、カール補正サンプルの出力が終了したことを知らせるメッセージが表示される(ステップ２０４)。このとき、操作パネル５６には、上述したメッセージの他、カールが最も少なかったユーザが判断したカール補正サンプルのサンプル番号Ｎを入力するためのウィンドウも表示される。そして、例えばキーボード５６ａを介してサンプル番号Ｎが入力されたことを受け付けると(ステップ２０５)、受け付けられたサンプル番号Ｎのカール補正サンプルを出力した際のカール補正条件の設定が行われる(ステップ２０６)。
【００６２】
そして、カール補正条件の設定が終了すると、実際の印刷(画像形成動作)が開始される(ステップ２０７)。本実施の形態では、実施の形態１とは異なり、必ず１枚目から画像形成動作が開始されることになる。そして、ジョブの終了と共に一連の処理を終了する。なお、ステップ２０２において、図９(ａ)に示す画面において「いいえ」ボタンが押下されると、そのままステップ２０７へと進み、印刷が開始される。また、操作パネル５６に図９(ａ)に示す画面が表示された時点からタイマ１０４で計時が開始され、タイマ１０４の計時時間が１分となった時点でも選択がなされていなかった場合には、自動的にステップ２０７に進み、印刷が開始されることになる。
【００６３】
本実施の形態では、実施の形態１で説明した効果に加え、ジョブの開始時に必ずデカーラ調整を行うか否かを選択できるようにしたので、ジョブの初期段階からカールが極力抑えられた用紙Ｐを出力することが可能になる。
【００６４】
なお、本実施の形態では、ジョブの開始時に必ずデカーラ調整を行うか否かをユーザが設定するようになっていたが、シビアなデカーラ調整を必要としないユーザも少なからず存在する。そこで、操作パネル５６やキーボード５６ａを用いて、ジョブの開始時にデカーラ調整を行うか否かを設定するための画面を表示させないようにすることもできる。図９(ｂ)は、操作パネル５６に表示される管理者画面の一例を示している。このとき、操作パネル５６には、デカーラ調整初期設定の実行を選択するためのボタンが表示されている。ユーザがこのボタンを押下すると、操作パネル５６には、図９(ｃ)に示す画面が表示される。そして、ジョブの開始時(印刷開始時)にデカーラ調整を行うか否かの選択画面を表示させたいときには、図９(ｃ)に示す表示画面において「ＯＮ」のボタンを、表示させたくないときには「ＯＦＦ」のボタンを押下することにより、ジョブ開始時にデカーラ調整を行うか否かの選択画面を表示させるか否かを設定することができる。
【００６５】
また、実施の形態１,２では、第一のカール補正部６２を例に説明を行ったが、第二のカール補正部６３に対しても、同様の機構を適用することができる。さらに、実施の形態１,２では、所謂タンデム型且つ中間転写型の画像形成装置を例に説明を行ったが、他の形式の画像形成装置に対しても、当然、適用することができる。
【図面の簡単な説明】
【００６６】
【図１】本実施の形態に係るフルカラー画像形成装置の全体構成を示す概略図である。
【図２】本実施の形態に係るフルカラー画像形成装置の要部を示す図である。
【図３】第一のカール補正部を示す図である。
【図４】制御部の機能を説明するためのブロック図である。
【図５】手動設定モードにおけるカール補正条件設定プロセスの処理の流れを示すフローチャートである。
【図６】(ａ)〜(ｅ)は操作パネルに表示される画面の一例を示す図である。
【図７】カール補正サンプルの一例を示す図である。
【図８】手動設定モードにおけるカール補正条件設定プロセスの処理の流れを示すフローチャートである。
【図９】(ａ)〜(ｃ)は操作パネルに表示される画面の一例を示す図である。
【符号の説明】
【００６７】
１…フルカラー画像形成装置、２…画像読み取り部、３…画像形成部、４…用紙供給部、５…用紙排出部、１０(１０Ｙ,１０Ｍ,１０Ｃ,１０Ｋ)…画像形成ユニット、２０…二次転写部、４０…制御部、４４…ＩＰＳ、４６…定着部、４７…温度センサ、４８…湿度センサ、４９…用紙検知センサ、５６…操作パネル、５６ａ…キーボード、５７…排出トレイ、６２…第一のカール補正部、６３…第二のカール補正部、６６…ゲート、６８…排出ロール、７０…アッパーカール補正部、７１…第一のベルト搬送部、７１ａ…第一のベルト、７２…第一の湾曲ニップ形成部、７２ａ…第一の押圧ロール、８０…ダウンカール補正部、８１…第二のベルト搬送部、８１ａ…第二のベルト、８２…第二の湾曲ニップ形成部、８２ａ…第二の押圧ロール、９１…搬送ベルト駆動モータ、９２…カム駆動モータ、Ｒ１…第一の用紙搬送路、Ｒ２…第二の用紙搬送路、Ｒ３…第三の用紙搬送路、Ｒ３ａ…アッパーカール補正用搬送路、Ｒ３ｂ…ダウンカール補正用搬送路、Ｒ４…第四の用紙搬送路、Ｒ５…第五の用紙搬送路
【図１】
2006290506.tif 000004
【図２】
2006290506.tif 000005
【図３】
2006290506.tif 000006
【図４】
2006290506.tif 000007
【図５】
2006290506.tif 000008
【図６】
2006290506.tif 000009
【図７】
2006290506.tif 000010
【図８】
2006290506.tif 000011
【図９】
2006290506.tif 000012